(57)【要約】【課題】配管内を通過する流体の帯電特性を変化させ、配管と該流体を利用する設備の使用寿命を延長させ、ランニングコストを低下させるとともに、流体と流体を利用する設備との関係において、例えば、化学薬品を投入したり、酸化物で配管を洗浄したりすることによって発生する環境汚染、燃料油に含有する炭水分子と酸素分子の負電子の排斥による不完全燃焼、及び不完全燃焼によって発生する空気の汚染などの弊害を除去する流体磁化装置を提供する。【解決手段】導磁性が極めて強い材質によってなる磁気発生体と、該磁気発生体の両側にそれぞれ設けられ、永久磁石によってなる２つの磁性体と、導磁性の強い材質によってなり、それぞれの磁性体の外側面に設けられる２つの励磁体と、該磁気発生体と、磁性体と、該励磁体とを被覆する非導磁性材質の被覆体とによって構成する。【選択図】　図２
0003098335.tif 000002
【実用新案登録請求の範囲】
【請求項１】
導磁性が極めて強い材質によってなる磁気発生体と、
該磁気発生体の両側にそれぞれ設けられ、永久磁石によってなる２つの磁性体と、
導磁性の強い材質によってなり、それぞれの磁性体の外側面に設けられる２つの励磁体と、
該磁気発生体と、磁性体と、励磁体該とを被覆する非導磁性材質の被覆体とによってなることを特徴とする流体磁化装置。
【請求項２】
前記被覆体が金属材によってなることを特徴とする請求項１に記載の流体磁化装置。
【請求項３】
前記被覆体がプラスチック材を射出成型してなり、かつ該磁気発生体と、磁性体と、該励磁体と一体に形成することを特徴とする請求項１に記載の流体磁化装置。
【請求項４】
前記励磁体が、鉄か、もしくはその他導磁性の強い金属材をブロック状に形成してなることを特徴とする請求項１に記載の流体磁化装置。
【請求項５】
前記磁性体が、鉄か、もしくはその他導磁性の極めて強い金属材をブロック状に形成してなることを特徴とする請求項１に記載の流体磁化装置。
【考案の詳細な説明】
【０００１】
【考案の属する技術分野】
この考案は、流体の磁化装置に関し、特に配管に設けられ、配管を流通する流体の含有物の帯電極性を変化させる流体の磁化装置に関する。
【０００２】
【従来の技術】
配管を応用して流体を輸送することは、昨今の工業設備に欠かせないものである。配管を介して各種設備に輸送される流体の様々な作用によって得られる効果は工業技術を発展させてきた。配管で輸送される流体の内、水は常用されている流体である。但し、水は長期にわたって配管内を高速で流動していると、電荷作用が発生し、配管との間に電位の差が生じる。配管が相対的に正電気を帯電した場合、配管と設備との間を循環する水中に含有される負電気を帯電した炭酸根、硫酸根などのマイナスイオンを吸引し、これらを結合させて不溶性の炭酸カルシウム、硫酸カルシウム、炭酸マグネシウムなどの水垢を発生させる。これら水垢が配管の壁面に付着すると、熱交換の効率に影響を与えるとともに、負電気の溶解酸素が正電気特性を帯びる配管の壁面に吸引され、配管の壁面の酸化、腐食を促進する。また藻菌類の細胞壁は負電荷であるため、正電荷の配管に吸引されて壁面に付着する。係る藻菌類の排泄物、もしくは屍骸なども熱交換の効率に影響を与えるとともに、配管の腐食を促進する。
【０００３】
また、農業において、農薬、もしくは肥料などを散布する場合、水分子を磁化すると帯電する電荷の排列、組合せを変化させ、農薬、もしくは肥料がさらに水分子を包括し、農薬、肥料の使用量を減少させる効果が得られる。
【０００４】
また、養殖の水処理において、水を磁化すると水中の浮遊物を沈殿させ、藻菌類の発生を減少させて、水質の富栄養化を防止することができる。よって、水分子を磁化することは極めて重要であり、産業上の様々な分野で応用されている。
【０００５】
配管を流通する水質の劣化を防ぐために、これまで様々な水質浄化装置、もしくは方法が提供されてきた。これら方法を類別すると次の通りである。
１．配管に化学薬物を定期的に投入する。
２．配管を洗浄する。
３．逆流浸透方式で水分子を磁化する。
【０００６】
化学薬物を投入する方法は、水垢が付着する現象と、腐食の進行を緩和するだけの作用しかない。しかも化学薬剤は、人体に有害な物質を含有するため、環境の公害を招くことになる。よって、化学物質を含有する排水は、必ず廃水処理をしなければならない。このため、化学薬物を投入する方法は、廃水処理も含め、設備投資とコストが高くなり、経済的に合わない。
【０００７】
配管の洗浄は、通常、酸性の化学薬剤で洗浄する。よって、設備の腐食を促進し、寿命を短縮することになる。このため、全体的なコストが高くなり、経済的に合わない。
【０００８】
逆流浸透方式は、薄いフィルタを通過させるために高圧の水流を必要とする。水中に鉱物、もしくは粒状の固形物などを含有する場合、フィルタが容易に目詰まりする。この場合、設備の運転を一旦中止してフィルタを洗浄、もしくは交換しなければならず、作業の手間と時間がかかり、全体のランニングコストが高くなる。
【０００９】
また、配管を通過する流体には水、ガスなどの気体以外に、燃料としてのオイル類が挙げられる。内燃機関において燃焼をさせる燃料油は、完全燃焼させるために、燃料油に含有される炭水分子を酸素と十分に混合させなければならない。但し、炭水分子と酸素分子は、いずれも負電子を有し、互いに排斥する。このため、完全な混合を得ることができず、不完全燃焼を招く。しかも、シリンダ内に炭素が蓄積し、不完全燃焼の気体が排出され、空気の汚染になる。これはオゾン層の破壊、地球の温室化の原因の一となり、環境保全の観念と要求にそぐわないものである。しかも燃料の浪費と、ランニングコストの増加になる。
【００１０】
【考案が解決しようとする課題】
この考案は、配管内を通過する流体の帯電特性を変化させ、配管と該流体を利用する設備の使用寿命を延長させ、ランニングコストを低下させるとともに、流体と流体を利用する設備との関係において、例えば、化学薬品を投入したり、酸化物で配管を洗浄したりすることによって発生する環境汚染、燃料油に含有する炭水分子と酸素分子の負電子の排斥による不完全燃焼、及び不完全燃焼によって発生する空気の汚染などの弊害を除去することのできる流体磁化装置を提供することを課題とする。
【００１１】
【課題を解決するための手段】
そこで、本考案者は従来の技術に見られる欠点に鑑み鋭意研究を重ねた結果、導磁性が極めて強い材質によってなる磁気発生体と、該磁気発生体の両側にそれぞれ設けられ、永久磁石によってなる２つの磁性体と、導磁性の強い材質によってなり、それぞれの磁性体の外側面に設けられる２つの励磁体とによってなるサンドイッチ構造体を被覆する非導磁性材質の被覆体とによってなる構造によって課題を解決できる点に着眼し、かかる知見に基づいて本考案を完成させた。
【００１２】
以下、この考案について具体的に説明する。
請求項１に記載する流体磁化装置は、導磁性が極めて強い材質によってなる磁気発生体と、
該磁気発生体の両側にそれぞれ設けられ、永久磁石によってなる２つの磁性体と、
導磁性の強い材質によってなり、それぞれの磁性体の外側面に設けられる２つの励磁体と、
該磁気発生体と、磁性体と、該励磁体とを被覆する非導磁性材質の被覆体とによってなる。
【００１３】
請求項２に記載する流体磁化装置は、請求項１における被覆体が金属材によってなる。
【００１４】
請求項３に記載する流体磁化装置は、請求項１における被覆体がプラスチック材を射出成型してなり、かつ該磁気発生体と、磁性体と、励磁体該と一体に形成する。
【００１５】
請求項４に記載する流体磁化装置は、請求項１における励磁体が、鉄か、もしくはその他導磁性の強い金属材をブロック状に形成してなる。
【００１６】
請求項５に記載する流体磁化装置は、請求項１における磁性体が、鉄か、もしくはその他導磁性の極めて強い金属材をブロック状に形成してなる。
【００１７】
【考案の実施の形態】
この考案は、流体の磁化装置に関し、特に配管に設けられ、配管を流通する流体の含有物の帯電極性を変化させる流体の磁化装置を提供するものであって、導磁性が極めて強い材質によってなる磁気発生体と、該磁気発生体の両側にそれぞれ設けられ、永久磁石によってなる２つの磁性体と、導磁性の強い材質によってなり、それぞれの磁性体の外側面に設けられる２つの励磁体とによってなるサンドイッチ構造体を被覆する非導磁性材質の被覆体とによって構成する。
かかる流体磁化装置の構造と特徴を詳述するために、具体的な実施例を挙げ、図示を参照にして以下に説明する。
【００１８】
【実施例】
図１、２に開示するように、この考案による流体磁化装置（１０）は、磁気発生体（２）と、該磁気発生体（２）の両側にそれぞれ設けられる２つの磁性体（３）と、それぞれの磁性体（３）の外側面に設けられる２つの励磁体（１）とによってサンドイッチ構造を形成し、さらに、非導磁材質の被覆体（４）で該磁気発生体（２）と、磁性体（３）と、励磁体（１）とによって構成されるサンドイッチ構造を被覆してなる。
【００１９】
該磁気発生体（２）は、鉄か、もしくは導磁性の極めて高い金属材によってブロック状に形成され、該磁性体（３）は永久磁石であって、該励磁体（１）は鉄か、もしくは高い導磁性を有する金属材によってブロック状に形成される。また、非導磁性の被覆体（４）は、該サンドイッチ構造が外部からの力を受けて破壊されることを防ぐ保護の作用を具え、射出成形でプラスチック材を該サンドイッチ構造と一体に形成するか、もしくは非導磁性の金属材によって形成する。
【００２０】
図３に開示するように、この考案による流体磁化装置（１０）は、一方の側面を円弧状に形成し、該円弧状の側面が配管（５）に当接して吸着する。配管（５）に吸着すると、流体磁化装置（１０）から発生する強力な磁力線によって配管（５）を通過する流体の分子が分解され、磁化の作用が発生する。配管（５）は負の電気的特性を形成し、流体に溶存し、配管の壁面に付着する負の電気的特性のマイナスイオン、酸素、藻菌類などを排除して、水垢、藻菌類の付着層、腐食などの弊害の発生を防ぐ。
【００２１】
水垢が発生した配管に流体磁化装置（１０）を設けると、配管内を通過する水は、流体磁化装置（１０）の作用によってイオン化され、活性水となる。この場合、水分子が帯磁状態を約３６時間保持するものと予測される。係る磁化の作用で発生する水分子のイオン化は、水中に含有される鉱物を沈殿させ、アラゴナイト、タルクとし、さらに非常態的硬質結晶体である方解石とする。これら結晶体は、水流によって流され、例えば貯水槽の底面などに沈殿する。よって、設備の保守を行う場合、容易に排除することができる。すなわち、この考案による流体磁化装置（１０）を配管に設けることによって、化学薬剤を配管に投入したり、酸化物で配管を洗浄したりする必要がなく、水質が浄化された状態を保ち、設備の正常な運転を保つことができる。
【００２２】
また、この考案による流体磁化装置（１０）は、配管の外部に吸着させて用いるため、配管の位置を変更する必要がなく、取り扱いが便利である。更に、流体磁化装置（１０）は、外部からのエネルギーの入力を必要としないため、ランニングコストが発生することなく保守の必要もない。
【００２３】
更に、この考案による流体磁化装置（１０）は、燃料油を輸送する配管に応用することができる。この場合、磁化の作用によって、燃料油に含有される炭水分子と酸素分子を十分に混合させることができる。よって、エンジン、もしくはボイラーなどの燃焼室で完全燃焼させることができ、不完全燃焼によって発生する一酸化炭素、黒煙などを抑制することができる。
【００２４】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【００２５】
【考案の効果】
この考案による流体磁化装置は、配管内を通過する流体の帯電特性を変化させ、配管と該流体を利用する設備の使用寿命を延長させ、ランニングコストを低下させる効果を具えるとともに、従来のように配管に化学薬品を投入したり、酸化物で配管を洗浄したりすることによって環境汚染が発生しない。また、燃料油の配管に応用した場合、含有する炭水分子と酸素分子の負電子の排斥による不完全燃焼を防ぎ、不完全燃焼によって発生する空気の汚染などの弊害を防ぐ効果を有する。
【図面の簡単な説明】
【図１】この考案による流体磁化装置の構造を表わす説明図である。
【図２】図１に開示する流体磁化装置の分解図である。
【図３】図１に開示する流体磁化装置の仕様態様を表わす説明図である。
【符号の説明】
１　　　　励磁体
１０　　　流体磁化装置
２　　　　磁気発生体
３　　　　磁性体
４　　　　被覆体
５　　　　配管
【図１】
0003098335.tif 000003
【図２】
0003098335.tif 000004
【図３】
0003098335.tif 000005